(57)【要約】      （修正有）【課題】水密性が高く、またメンテナンスや防犯性、清掃作業性に優れた四枚建て引分けサッシの下枠フラットサッシ構造を提供する。【解決手段】下枠の上面全体を略フラットに形成した、四枚建て引分けサッシの下枠フラットサッシ構造であって、それぞれの突合せ障子の突合せ框を互いに突合せ、これら突合せ障子を閉じた状態で、対向する突合せ框との間に、外気圧と等圧の空間Ｓが形成され、該等圧空間Ｓが平面上に投影されるレール部７０の位置に、突合せ止水ブロック９０が形成され、該突合せ止水ブロック９０には、上方に開口を有する凹部が形成され、かつこの凹部は室外側ガイド溝１８側に切欠かれており、等圧空間Ｓ内への侵入水が、この切欠き部と前記突合せ框底部ブロック８０との間から室外側ガイド溝１８へ排水される構成とする。【選択図】図９
2005171647.tif 000002
【特許請求の範囲】
【請求項１】
下枠の室内側若しくは室外側の一方側に形成された、上面が略フラットなレール部と、このレール部上をスライド可能な一対の突合せ障子と、サッシ枠の両袖で、下枠の室内側若しくは室外側の他方側に配設された嵌め殺し部と、を備え、
前記突合せ障子には、その下框に室内側垂下片及び室外側垂下片が形成されると共に、突合せ障子の突合せ框底部に、前記室内側垂下片及び室外側垂下片に延在させて、突合せ框底部ブロックを設け、当該突合せ框底部と前記レール部上面との間を水密にし、
前記レール部の室内側と室外側とに、前記下枠下部から立ち上がる室内側立ち上がり片及び室外側立ち上がり片とが並設され、室内側立ち上がり片と前記レール部側面とにより、前記室内側垂下片の室内側ガイド溝が形成され、並びに室外側立ち上がり片と前記レール部側面とにより、前記室外側垂下片の室外側ガイド溝が形成され、
前記レール部の上面を含んで前記下枠の上面全体を略フラットに形成した、四枚建て引分けサッシの下枠フラットサッシ構造であって、
それぞれの突合せ障子の突合せ框を互いに突合せ、これら突合せ障子を閉じた状態で、対向する突合せ框との間に、外気圧と等圧の空間が形成され、
該等圧空間が平面上に投影されるレール部の位置に、突合せ止水ブロックが形成され、該突合せ止水ブロックには、上方に開口を有する凹部が形成され、かつこの凹部は室外側ガイド溝側に切欠かれており、前記等圧空間内への侵入水が、この切欠き部と前記突合せ框底部ブロックとの間から室外側ガイド溝へ排水される構成とされた、
ことを特徴とする四枚建て引分けサッシの下枠フラットサッシ構造。
【請求項２】
対向するそれぞれの突合せ障子の突合せ框の室外側には、それぞれ他方の突合せ框方向へ延在した条状の室外側張り出し片が形成され、前記突合せ框の室内側には、それぞれ突合せタイト材が設けられ、
前記等圧空間の室外側及び室内側は、それぞれの室外側張り出し片の召し合せにより室外側が形成され、それぞれの突合せタイト材相互の当接により室内側が形成された、請求項１記載の四枚建て引分けサッシの下枠フラットサッシ構造。
【請求項３】
前記室内側立ち上がり片の上方に、突合せ障子下框の前記室内側垂下片と摺接する横タイト材を設けて第１のタイトラインが形成され、
突合せ障子の召し合せ框の室内側若しくは室外側に、サッシ枠の両袖に配設された前記嵌め殺し部の縦骨と摺接する縦タイト材を設けて第２のタイトラインが形成され、
これら第１及び第２のタイトラインと前記突合せタイト材相互の当接による第３のタイトラインとが略同一面上に形成された、請求項２記載の四枚建て引分けサッシの下枠フラットサッシ構造。
【請求項４】
前記レール部は、その下部が下枠に設けられた一対の条状の室内側レール部立ち上がり片及び室外側レール部立ち上がり片に嵌脱自在に固定される構成とされ、
前記突合せ止水ブロックは、前記室内側レール部立ち上がり片及び室外側レール部立ち上がり片に嵌脱自在に固定される構成とされ、
この突合せ止水ブロックにおける前記レール部の小口と対向する部分のそれぞれには、前記レール部に当接する弾性片と、前記レール部の両側面を挟持する一対のガイド片と、を備えた、請求項1乃至3のいずれか1項記載の四枚建て引分けサッシの下枠フラットサッシ構造。
【請求項５】
前記突合せ止水ブロックは、ビスの螺着によりサッシ下枠に固定される構成とされた、請求項4記載の四枚建て引分けサッシの下枠フラットサッシ構造。
【請求項６】
前記レール部小口には、該小口を塞ぐための塞ぎ材が取付けられた、請求項４又は5記載の四枚建て引分けサッシの下枠フラットサッシ構造。
【発明の詳細な説明】
【技術分野】
【０００１】
本発明は、四枚建て引分けサッシの下枠フラットサッシ構造に関するものである。
【背景技術】
【０００２】
従来、建築物の屋外開口部に設置される四枚建て引分けサッシの下枠には、当該サッシを構成する突合せ障子を左右にスライドさせるために、障子の下框に設けられた戸車を回動させるリブ状のレール部が形成されている。通常、このリブ状のレール部及びこのレール部によって区画されたレール溝は、サッシの雨仕舞の観点より、室外側よりも室内側が高くなるように段差を設けて形成されている。すなわち、障子や窓ガラスに吹き付けられた雨水は、障子や窓ガラスに沿って落下し、下枠のレール溝に溜まるが、このレール溝が室外側よりも室内側が高くなるように段差を設けて形成されているため、レール溝に溜まった雨水の自重により室内側への雨水の侵入を防ぎ、レール溝に溜まった雨水は屋外へ排出されるようになっている。
【０００３】
一方、近年では、バリアフリー若しくはユニバーサルデザインの観点から、四枚建て引分けサッシにおいて、リブ状のレール部を室内側と室外側で段差を設けることなく略フラットに配設した下枠フラットサッシや、さらにレール部をリブ状でなくレ−ル部の上面を略フラットにした下枠フラットサッシも開発されている（例えば、特許文献１参照）。
【０００４】
とりわけ、このレール部の上面を略フラットにした下枠フラットサッシでは、一定以上の水密性を確保することが課題となっており、特許文献１では、室内への雨水の侵入を防ぐために、障子と下枠との間を横タイト材を介して水密にする等気圧構造を採用している。具体的には、障子下框の室内側に垂下片（スライド片）が形成され、この垂下片と下枠のレール溝の室内側側壁に設けられた横タイト材とで水密性を確保している。
【特許文献１】特許第３３５１５１９号（６〜７頁、図１〜３）
【発明の開示】
【発明が解決しようとする課題】
【０００５】
しかし、上記の突合せ障子下框の室内側の垂下片と横タイト材のみによる水密性の確保には、以下のような問題点がある。
【０００６】
第１に、垂下片（スライド片）が室内側にのみ形成されているので、突合せ障子や窓ガラスに吹き付けられた雨水は、突合せ障子下框の下部の室外側から侵入し、突合せ障子下框垂下片と横タイト材によるタイトラインよりも上に位置する下枠レール部の上面に溜まりやすいので、横タイト材の負担が大きく、水密性に不利である。
【０００７】
第２に、下枠レール部上面には埃や塵も溜まりやすく、また、これらが溜まった下枠レール部上面を突合せ障子の戸車が移動することにより、人目につきやすいレール部上面に細かな傷がつき、美感等の観点から、頻繁に補修や交換等のメンテナンスを行う必要が生じる。
【０００８】
第３に、突合せ障子の室外側に垂下片が形成されていないので、室外側から突合せ障子下框の底部と下枠レール部の上面との隙間に、バール等が差し込まれて、突合せ障子が持ち上げられることによって突合せ障子が外され、屋外からの侵入を容易にさせるという防犯上の危険性を伴っている。
【０００９】
他方、レール部を下枠から取外し可能にした方が、サッシ下枠のレール溝やガイド溝の掃除には便利である。
【００１０】
そこで、本発明の主たる課題は、水密性が高く、またメンテナンスや防犯性、清掃作業性に優れた四枚建て引分けサッシの下枠フラットサッシ構造を提供することにある。
【課題を解決するための手段】
【００１１】
上記課題を解決した本発明は、次のとおりである。
＜請求項１記載の発明＞
請求項１記載の発明は、下枠の室内側若しくは室外側の一方側に形成された、上面が略フラットなレール部と、このレール部上をスライド可能な一対の突合せ障子と、サッシ枠の両袖で、下枠の室内側若しくは室外側の他方側に配設された嵌め殺し部と、を備え、前記突合せ障子には、その下框に室内側垂下片及び室外側垂下片が形成されると共に、突合せ障子の突合せ框底部に、前記室内側垂下片及び室外側垂下片に延在させて、突合せ框底部ブロックを設け、当該突合せ框底部と前記レール部上面との間を水密にし、前記レール部の室内側と室外側とに、前記下枠下部から立ち上がる室内側立ち上がり片及び室外側立ち上がり片とが並設され、室内側立ち上がり片と前記レール部側面とにより、前記室内側垂下片の室内側ガイド溝が形成され、並びに室外側立ち上がり片と前記レール部側面とにより、前記室外側垂下片の室外側ガイド溝が形成され、前記レール部の上面を含んで前記下枠の上面全体を略フラットに形成した、四枚建て引分けサッシの下枠フラットサッシ構造であって、それぞれの突合せ障子の突合せ框を互いに突合せ、これら突合せ障子を閉じた状態で、対向する突合せ框との間に、外気圧と等圧の空間が形成され、該等圧空間が平面上に投影されるレール部の位置に、突合せ止水ブロックが形成され、該突合せ止水ブロックには、上方に開口を有する凹部が形成され、かつこの凹部は室外側ガイド溝側に切欠かれており、前記等圧空間内への侵入水が、この切欠き部と前記突合せ框底部ブロックとの間から室外側ガイド溝へ排水される構成とされた、ことを特徴とする四枚建て引分けサッシの下枠フラットサッシ構造である。
【００１２】
（作用効果）
本発明では、突合せ障子の下框の室内側だけでなく、室外側にも垂下片が形成されているので、この室外側垂下片によって、室外側の障子面や窓ガラスに沿って流下した雨水は室外側ガイド溝に落下するので、室内への侵入が拒まれる。すなわち、当該室外側垂下片は実質的な水切りとして機能する。また、室外側垂下片を設けたことにより、レール部の上面に埃や塵が溜まりにくく、メンテナンス性にも優れており、また、外部からバール等を差し込まれるような隙間がないため，防犯性にも優れている。
【００１３】
さらに、突合せ障子を閉じた状態で、対向する突合せ框との間に、外気圧と等圧の空間が形成され、該等圧空間が平面上に投影されるレール部の位置に、突合せ止水ブロックが形成され、該突合せ止水ブロックには、上方に開口を有する凹部が形成され、かつこの凹部は室外側ガイド溝側に切欠かれた構成としたことにより、対向する突合せ框との間に侵入した雨水は、等圧空間内で侵入エネルギーを失い、この等圧空間内の下方に落下若しくは滴り落ち、突合せ止水ブロックの切欠き部と前記突合せ框底部ブロックとの間から室外側ガイド溝へ排水される。したがって、対向する突合せ框との間から侵入する雨水を確実に排水できる。
【００１４】
＜請求項２記載の発明＞
請求項２記載の発明は、対向するそれぞれの突合せ障子の突合せ框の室外側には、それぞれ他方の突合せ框方向へ延在した条状の室外側張り出し片が形成され、前記突合せ框の室内側には、それぞれ突合せタイト材が設けられ、前記等圧空間の室外側及び室内側は、それぞれの室外側張り出し片の召し合せにより室外側が形成され、それぞれの突合せタイト材相互の当接により室内側が形成された、請求項１記載の四枚建て引分けサッシの下枠フラットサッシ構造である。
【００１５】
（作用効果）
等圧空間の室外側は、それぞれの室外側張り出し片の召し合せ構造となっていることにより、侵入する雨水に対して実質的な水切りとして機能する。また、等圧空間の室内側は、それぞれの突合せタイト材相互の当接により水密性を有するタイトラインが形成されるため、等圧空間に入った雨水が屋内（部屋内）に侵入する虞がなく、確実に雨水を等圧空間内の下方に落下等させることができる。
【００１６】
＜請求項３記載の発明＞
請求項３記載の発明は、前記室内側立ち上がり片の上方に、突合せ障子下框の前記室内側垂下片と摺接する横タイト材を設けて第１のタイトラインが形成され、突合せ障子の召し合せ框の室内側若しくは室外側に、サッシ枠の両袖に配設された前記嵌め殺し部の縦骨と摺接する縦タイト材を設けて第２のタイトラインが形成され、これら第１及び第２のタイトラインと前記突合せタイト材相互の当接による第３のタイトラインとが略同一面上に形成された、請求項２記載の四枚建て引分けサッシの下枠フラットサッシ構造である。
【００１７】
（作用効果）
突合せ障子下框の室内側垂下片と横タイト材によって形成される第１のタイトラインの存在により、突合せ障子下框底部とレール部上面との間に外気圧と同等の等圧空間が形成され、室外側垂下片での実質的な水切り効果が向上する。仮に、レール部の上面に雨水が侵入した場合でも、室内側垂下片と横タイト材により室内へ漏水をすることなく、雨水はレール部の室内側側面と室内側垂下片との隙間から、室内側ガイド溝に排出される。換言すれば、水切りラインとタイトラインを別々に設ける二重構造により、タイトラインの負担を軽減させ、水密性を高めている。
【００１８】
そして、この第１のタイトラインと、突合せ障子の召し合せ框と嵌め殺し部の縦骨との間に形成される第２のタイトラインと、突合せ框の室内側に設けられた突合せタイト材相互の当接による第３のタイトラインと、が略同一面上に形成されることにより、より水密性を高めている。
【００１９】
＜請求項４記載の発明＞
請求項４記載の発明は、前記レール部は、その下部が下枠に設けられた一対の条状の室内側レール部立ち上がり片及び室外側レール部立ち上がり片に嵌脱自在に固定される構成とされ、前記突合せ止水ブロックは、前記室内側レール部立ち上がり片及び室外側レール部立ち上がり片に嵌脱自在に固定される構成とされ、この突合せ止水ブロックにおける前記レール部の小口と対向する部分のそれぞれには、前記レール部に当接する弾性片と、前記レール部の両側面を挟持する一対のガイド片と、を備えた、請求項1乃至3のいずれか1項記載の四枚建て引分けサッシの下枠フラットサッシ構造である。
【００２０】
（作用効果）
突合せ障子に設けられた戸車が移動するレール部が、嵌脱自在であるので、該レール部を取外すことによって、室内側レール部立ち上がり片及び室外側レール部立ち上がり片によって形成された溝やガイド溝に溜まった塵や埃等を箒で掃いたり、掃除機で吸取ったり、水で洗い流すことにより清掃することが容易にできる。
【００２１】
また、突合せ止水ブロックにおけるレール部の小口（端面）と対向する部分のそれぞれには、レール部に当接する弾性片と、レール部の両側面を挟持する一対のガイド片と、を備えているので、まず、レール部の取付けについては、レール部を突合せ止水ブロックの一対のガイド片を頼りに、レール部の小口を突合せ止水ブロックの弾性片に当接させながら嵌合させればよい。レール部の取外しの際は、レール部を指先で摘み、弾性片の弾性力を利用しながら容易に取外すことが可能である。
【００２２】
なお、ガイド片はレール部の取付けの際のガイド機能のみならず、レール部が取付けられた状態でもレール部の両側面を挟持する構成となっていることから、レール部の傾き（回動）、がたつき、揺れ等を防止すると共に、突合せ止水ブロックとレール部との隙間から雨水の侵入を防止することが可能である。また、レール部と突合せ止水ブロックとの間を弾性片が介在するかたちとなっているため、この弾性片の存在により、アルミなどの金属等からなるレール部の熱伸縮や寸法誤差等を吸収することができ、それに伴うレール部の歪みやズレ等を防止することができる。
【００２３】
＜請求項５記載の発明＞
請求項５記載の発明は、前記突合せ止水ブロックは、ビスの螺着によりサッシ下枠に固定される構成とされた、請求項4記載の四枚建て引分けサッシの下枠フラットサッシ構造である。
【００２４】
（作用効果）
突合せ止水ブロックの下枠への固定を嵌合に加え、ビスの螺着により固定される構成としたことにより、レール部の取付けや取外しの際に、突合せ止水ブロックが不用意に外れることがない。そのため結果として、レール部の取付けや取外しの作業性を向上させている。
【００２５】
＜請求項６記載の発明＞
請求項６記載の発明は、前記レール部小口には、該小口を塞ぐための塞ぎ材が取付けられた、請求項４又は5記載の四枚建て引分けサッシの下枠フラットサッシ構造である。
【００２６】
（作用効果）
レール部小口には、該小口を塞ぐための塞ぎ材が取付けられた構成とすることにより、レール部の取外し等の際に、アルミなどの金属等からなるレール部小口（切りっ放し端面）で指を切る怪我の虞をなくすことができる。
【発明の効果】
【００２７】
本発明によれば、四枚建て引分けサッシの下枠フラットサッシ構造において、水密性が高く、またメンテナンスや防犯性、清掃作業性に優れる等の利点がもたらされる。
【発明を実施するための最良の形態】
【００２８】
以下、本発明の実施の形態を説明する。
本発明に係る四枚建て引分けサッシの下枠フラットサッシ構造の全体概要について、図１、図３及び図４に基づき説明する。なお、図１は本発明の一実施例の四枚建て引分けサッシの縦断面図であり、図３はその突合せ障子を開いた状態の横断面図であり、図４はその突合せ障子を閉じた状態の横断面図である。
【００２９】
この四枚建て引分けサッシは、下枠１、上枠２、左右縦枠３，４で枠体を形成し、この枠体に一対の突合せ障子５Ｌ，５Ｒと嵌め殺し部６Ｌ，６Ｒを装着して形成することができる。また、図１、図３及び図４には、突合せ障子５Ｌ，５Ｒよりも室外側に網戸７Ｌ，７Ｒを装着することができる。下枠１の上面全体は略フラットに形成され、図１０に示すように、室内の床面から下枠１の上面、グレーチング８等を略フラットに形成することができる。なお、９はグレーチング８を受け、かつ下枠１の室外側の正面に固定するためのグレーチング受材である。
【００３０】
＜突合せ障子及び嵌め殺し部の構造＞
まず、突合せ障子５Ｌ，５Ｒについて、図１、図３、図４、図８乃至１０に基づき説明する。なお、図８は対向するそれぞれの突合せ障子の突合せ框を突き合わせた状態を示す拡大平面図であり、図９はそのＡ−Ａ断面図であり、図１０は突合せ框と突合せ框底部ブロック及び突合せ止水ブロックとの配設関係を説明するための斜視図である。
【００３１】
突合せ障子５Ｌ，５Ｒは、上框５ａＬ，５ａＲと、下框５ｂＬ，５ｂＲと、突合せ框５ｃＬ，５ｃＲと、戸当り框５ｄＬ，５ｄＲと、を備えており、これら框で四周を囲んだ内周にガラス３０等が装着される。また、突合せ障子下框５ｂＬ，５ｂＲの底部５０には、戸車５１が設けられており、この戸車５１がレール部７０の上面７０ａを回動することにより、突合せ障子５Ｌ，５Ｒが左右に移動する。
【００３２】
また、突合せ障子５Ｌ，５Ｒには、室内側と室外側にそれぞれ垂下片５２，５３が延在している。室外側垂下片５３を設けたことにより、レール部７０の上面７０ａに埃や塵が溜まりにくく、そのため戸車５１移動等による傷もつきにくくメンテナンス性にも優れており、また、室外側垂下片５３が下枠１に形成された室外側ガイド溝１８に呑み込まれていることにより、外部からバール等を差し込まれるような隙間がないため防犯性にも優れている。
【００３３】
図８に示すように、対向するそれぞれの突合せ障子の突合せ框５ｃＬ，５ｃＲの室外側には、それぞれ他方の突合せ框方向へ延在した条状の室外側張り出し片５５Ｌ，５５Ｒが形成され、これら室外側張り出し片５５Ｌ，５５Ｒが相互に召し合うようになっている。また、突合せ框５ｃＬ，５ｃＲの室内側には、それぞれ突合せタイト材５６Ｌ，５６Ｒが設けられ、突合せ障子を閉じた状態で、相互に当接するようになっている。そして、室外側張り出し片５５Ｌ，５５Ｒ、突合せタイト材５６Ｌ，５６Ｒ及び突合せ框の対向面５７Ｌ，５７Ｒによって囲まれた空間に、外気圧と等圧な等圧空間Ｓが形成されている。等圧空間Ｓの室外側は、それぞれの室外側張り出し片５５Ｌ，５５Ｒが重なり合う構造となっていることにより、侵入する雨水に対して実質的な水切りとして機能する。また、等圧空間Ｓの室内側は、それぞれの突合せタイト材５６Ｌ，５６Ｒ相互の当接により水密性を有するタイトライン（第３のタイトライン）が形成されるため、等圧空間Ｓに入った雨水が屋内（部屋内）に侵入する虞がなく、確実に雨水を等圧空間Ｓ内の下方に落下等させることができる。なお、突合せ框５ｃＲの突合せタイト材５６Ｒよりも室内側には、室内側張り出し片５８が取付けられており、この室内側張り出し片５８は、突合せタイト材５６Ｌ，５６Ｒの室内側を覆うことによる意匠的な配慮をなす共に、突合せタイト材５６Ｌ，５６Ｒ相互の当接により形成される第３のタイトラインを破って部屋内へ入ってきてしまった雨水の侵入を最終的にせき止める。
【００３４】
図８乃至１０に示すように、突合せ框５ｃＬ，５ｃＲの底部５４には、後述する突合せ框底部ブロック８０，８０が取付けられている。そして、等圧空間Ｓの下方には、等圧空間が平面上に投影されるレール部７０の位置に、突合せ止水ブロック９０が位置しており、対向する突合せ框５ｃＬ，５ｃＲとの間（室外側張り出し片５５Ｌ，５５Ｒの召し合せの隙間）に侵入した雨水は、等圧空間Ｓ内で侵入エネルギーを失い、この等圧空間Ｓ内の下方に落下若しくは滴り落ち、後述するように、突合せ止水ブロック９０の切欠き部９０ｄと突合せ框底部ブロック８０，８０との間から室外側ガイド溝１８へ排水される。
【００３５】
次に、嵌め殺し部６Ｌ，６Ｒは、図１、図３及び図４に示されるように、上枠アタッチメント６ａＬ，６ａＲと、下枠１の第１の立ち上がり片１１と第２の立ち上がり片１２によって形成されるガラス押さえ部と、左縦枠３のガラス押さえ部３ａ若しくは右縦枠４のガラス押さえ部４ａと、縦骨６ｄＬ若しくは縦骨６ｃＲと、により形成され、これらで四周を囲んだ内周にガラス３０等が装着される。ここで、上枠アタッチメント６ａＬ，６ａＲは、上枠アタッチメント本体６１ａＬ，６１ａＲ、押縁６２ａＬ，６２ａＲからなっており、上枠２に上枠アタッチメント本体６１ａＬ，６１ａＲの上部が係合し、これら上枠アタッチメント本体６１ａＬ，６１ａＲに押縁６２ａＬ，６２ａＲが室内側から係合することにより構成されている。なお、図２に示すように、下枠１の第１の立ち上がり片１１と第２の立ち上がり片１２によって形成されるガラス押さえ部に巾木（下框）を形成する下枠アタッチメント３１を装着し、その下枠アタッチメント３１にガラス３０等を装着してもよい。
【００３６】
そして、突合せ障子５Ｌ，５Ｒと嵌め殺し部６Ｌ，６Ｒの別形態として、図５乃至７に示すように、突合せ障子１５０Ｌ，１５０Ｒと嵌め殺し部１６０Ｌ，１６０Ｒを提案することができる。なお、図５は本発明の他の実施例の四枚建て引分けサッシの縦断面図であり、図６はその突合せ障子を開いた状態の横断面図であり、図７はその突合せ障子を閉じた状態の横断面図である。突合せ障子１５０Ｌ，１５０Ｒは、上框１５０ａＬ，１５０ａＲと、下框１５０ｂＬ，１５０ｂＲと、突合せ框１５０ｃＬ，１５０ｃＲと、戸当り框１5０ｄＬ，１５０ｄＲと、を備えており、これら框で四周を囲んだ内周にペアガラス３００が装着される。前述した突合せ障子５Ｌ，５Ｒとの相違点は、内周にペアガラス３００を装着していることと、そのために框の見込み寸法が大きくなっていることである。また、嵌め殺し部１６０Ｌ，１６０Ｒは、上枠アタッチメント１６０ａＬ，１６０ａＲと、下枠アタッチメント１６０ｂＬ，１６０ｂＲと、縦骨１６０ｄＬ，１６０ｃＲと、（左若しくは右）縦枠アタッチメント１６０ｃＬ，１６０ｄＲと、を備えており、これら框で四周を囲んだ内周にペアガラス３００が装着され、前述したように、内周にペアガラス３００を装着していることと、そのために框の見込み寸法が大きくなっていることが嵌め殺し部６Ｌ，６Ｒとの特徴的な相違点である。なお、上枠アタッチメント１６０ａＬ，１６０ａＲは、上枠アタッチメント本体１６１ａＬ，１６１ａＲ、押縁１６２ａＬ，１６２ａＲからなっており、上枠２に上枠アタッチメント本体１６１ａＬ，１６１ａＲの上部が係合し、これら上枠アタッチメント本体１６１ａＬ，１６１ａＲに押縁１６２ａＬ，１６２ａＲが室内側から係合することにより構成されている。
【００３７】
図１乃至７に示された、突合せ障子５Ｌ，５Ｒと嵌め殺し部６Ｌ，６Ｒ、突合せ障子１５０Ｌ，１５０Ｒと嵌め殺し部１６０Ｌ，１６０Ｒは、それぞれ室内側に嵌め殺し部、室外側に突合せ障子を設けているが、室内側に突合せ障子、室外側に嵌め殺し部を設けてもよい。
【００３８】
＜下枠構造＞
以下では、図１、図３、図４及び図２０に示される本発明の一実施例の四枚建て引分けサッシに基づき、本発明に係る下枠構造について説明する。
【００３９】
下枠１は、アルミニウム合金等からなり、下枠自体は押出成形された部材によって形成されている。図１に示すように、下枠１は、その下部に中空部１０，１０が形成され、この中空部１０，１０の上面には、サッシ下枠を室内側から室外側を見て、第１の立ち上がり片１１と、第２の立ち上がり片１２と、第３の立ち上がり片１３と、が配設されており、第２の立ち上がり片１２と第３の立ち上がり片１３との間には、レール部７０と突合せ止水ブロック９０とを嵌合させる室内側レール部立ち上がり片１４及び室外側レール部立ち上がり片１５が形成されている。そして、第１の立ち上がり片１１と第２の立ち上がり片１２は、嵌め殺し部６Ｌ，６Ｒにおいてガラス３０等を押さえるためのガラス押さえとして機能し、ガラス押さえ部を形成すると共に、第１の立ち上がり片１１、第２の立ち上がり片１２及び中空部１０の上面によって囲まれた空間にガラス溝を形成している。第１の立ち上がり片１１と第２の立ち上がり片１２とによって形成されるガラス押さえ部には、図１、図３及び図４に示されるように、嵌め殺し部６Ｌ，６Ｒの縦骨６ｄＬと縦骨６ｃＲとの間では目板材１６が取付けられている。
【００４０】
図１及び図２０に示すように、レール部室外側側面７０ｃと第３の立ち上がり片１３とで突合せ障子５Ｌ，５Ｒの室外側垂下片５３，５３の室外側ガイド溝１８を形成し、この室外側ガイド溝１８は室外側レール部立ち上がり片１５の存在により流れ込んだ雨水等の排水溝としても機能し、この排水溝の底部に形成された図示しない水抜き孔より、流れ込んだ雨水等を中空部内１０に排水することができ、最終的に雨水等は、逆止弁の機能を有する蓋付き排水口３２より排出される。また、図１及び図２０に示すように、レール部室内側側面７０ｂと第２の立ち上がり片１２とで突合せ障子５Ｌ，５Ｒの室内側垂下片５２，５２の室内側ガイド溝１７を形成し、この室内側ガイド溝１７は室内側レール部立ち上がり片１４の存在により流れ込んだ雨水等の排水溝としても上記と同様に機能し、この排水溝の底部に形成された図示しない水抜き孔若しくは室内側レール部立ち上がり片１４の切欠きにより、流れ込んだ雨水等を中空部内１０に排水することができ、最終的に雨水等は、逆止弁の機能を有する蓋付き排水口３２より排出される。ただし、突合せ障子５Ｌ，５Ｒの室外側垂下片５３，５３によって、実質的に雨水の水切りが行われるため、この室内側ガイド溝１７の排水溝としての機能は、防水対策の万全を期すためのものである。さらに、室内側レール部立ち上がり片１４と室外側レール部立ち上がり片１５との間には、レール部７０の下部溝１９が形成されている。この下部溝１９の底部にも、適宜、水抜き孔や室外側レール部立ち上がり片１５の切欠きを設けることができる。なお、各溝に水抜き孔を設けることにより、蓋付き排水口３２を介して外部に連通した中空部１０と通じ、このことによって、各溝内は外気圧と等圧となっている。また、蓋付き排水口３２は、逆支弁機能を有するので、ここから各溝内への風や、雨水、虫等の侵入を防ぐことができる。
【００４１】
突合せ障子５Ｌ，５Ｒの室内側垂下片５２，５２と第２の立ち上がり片１２との間を水密にするために、横タイト材３３が設けられており、この横タイト材３３とそれぞれの室内側垂下片５２，５２とが摺接することにより、下枠１における第１のタイトラインが形成されている。
【００４２】
＜レール部、突合せ止水ブロック及び突合せ框底部ブロックの構造＞
まず、本発明に係るレール部について、図１、図３、図１８乃至２０に基づいて説明する。なお、図１８−１〜４はレール部小口面を塞ぐ塞ぎ材の正面図、背面図、側面図、室内側レール部立ち上がり片及び室外側レール部立ち上がり片との固定状態を説明するための図であり、図１９−１〜３はレール部に取り付けられる固定部材の正面図、側面図、室内側レール部立ち上がり片及び室外側レール部立ち上がり片との固定状態を説明するための図であり、図２０は下枠の拡大断面である。
【００４３】
レール部７０は、図１、図１０及び図２０に示すように、断面中空状でレール部上面７０ａと、レール部室内側側面７０ｂ及びレール部室外側側面７０ｃと、レール部下面７０ｄと、を備えており、レール部室内側側面７０ｂ及びレール部室外側側面７０ｃのそれぞれ下部は、断面で見て、雁行しており、この雁行する肩部で室内側レール部立ち上がり片１４及び室外側レール部立ち上がり片１５と嵌合するようになっている。また、図１３に示すように、突合せ止水ブロック９０と対向するレール部７０小口面には、該小口を塞ぐための塞ぎ材７１が取付けられており、後述するレール部の取外し等の際に、アルミなどの金属等からなるレール部７０小口（切りっ放し端面）で指を切る怪我の虞をなくすことができる。この塞ぎ材７１は、塞ぎ本体部７１ａと、挿入部７１ｂと、固定片７１ｃと、を備えている。この塞ぎ材７１とレール部７０との固定は、塞ぎ材７１の挿入部７１ｂをレール部７０の小口面から挿入することにより一体化される。そして、図１８−３に示すように、レール部７０の小口部分からレール部下面７０ｄの一部が切り欠かれていることにより、塞ぎ材７１の固定片７１ｃ，７１ｃがレール部下面７０ｄの下方に延在するかたちとなり、図１８−４に示すように、これら固定片７１ｃ，７１ｃが室内側レール部立ち上がり片１４及び室外側レール部立ち上がり片１５の上部の肩部１４ａ，１５ａに係止することにより、レール部７０が室内側レール部立ち上がり片１４及び室外側レール部立ち上がり片１５に固定される構成となっている。
【００４４】
また、レール部７０は、サッシ左縦枠３側や右縦枠４側近傍のレール部小口近辺でも、レール部下面７０ｄの一部が切り欠かれており、この切欠き部（図示せず）に、図１９−１〜３に示す、固定部材７２を挿入して、固定片７２ａ，７２ａにより、室内側レール部立ち上がり片１４及び室外側レール部立ち上がり片１５の上部の肩部１４ａ，１５ａに係止させている。なお、７３は左右縦枠側に取付けられた第２の塞ぎ材であり、７４はこの第２の塞ぎ材７３に当接すると共に、突合せ障子５Ｌ，５Ｒのストッパーとして機能する戸当りストッパーである。
【００４５】
次に、突合せ止水ブロック９０について、図８乃至１６に基づいて説明する。なお、図１１はレール部と突合せ止水ブロックの拡大平面図であり、図１２はその拡大側面図であり、図１３はレール部と突合せ止水ブロックとの嵌脱状態を説明するための斜視図であり、図１４は突合せ框底部ブロックと突合せ止水ブロックとの配設関係を説明するための斜視図であり、図１５は左右の突合せ框底部ブロックが相互に当接した状態での突合せ止水ブロックとの配設関係を説明するための斜視図であり、図１６−１〜８は突合せ止水ブロックの平面図、側面図、正面図、底面図、Ｂ−Ｂ断面図、Ｃ−Ｃ断面図、Ｄ−Ｄ断面図、Ｅ−Ｅ断面図である。
【００４６】
突合せ止水ブロック９０は、上面９０ａと、この上面の中央部分に設けられた凹部９０ｂと、凹部９０ｂに設けられたビス孔９０ｃと、凹部９０ｂの室外側を切り欠いて形成された切欠き部９０ｄと、レール部７０の小口（端面）と対向する部分（側）に設けられた弾性片９０ｅ，９０ｅ及びガイド片９０ｆ，９０ｆと、室内側レール部立ち上がり片１４及び室外側レール部立ち上がり片１５と嵌合する嵌合部９０ｇと、を備えている。突合せ止水ブロック９０は、嵌合部９０ｇにより室内側レール部立ち上がり片１４及び室外側レール部立ち上がり片１５と嵌合するとともに、ビス孔９０ｃにより、ビス３４の螺着等によりサッシ下枠１に固定されている。図８及び図９に示すように、室外側張り出し片５５Ｌ，５５Ｒ、突合せタイト材５６Ｌ，５６Ｒ及び突合せ框の対向面５７Ｌ，５７Ｒによって囲まれた等圧空間Ｓ内の下方に落下若しくは滴り落ちた雨水は、突合せ止水ブロック９０の切欠き部９０ｄと突合せ框底部ブロック８０，８０との間から室外側ガイド溝１８へ排水されるようになっている。そして、雨水は、室外側ガイド溝１８に形成された水抜き孔より中空部１０に入り、最終的に、蓋付き排水口３２より排出される。また、突合せ止水ブロック９０におけるレール部の小口（端面）と対向する部分のそれぞれには、レール部７０に当接する弾性片９０ｅ，９０ｅと、レール部７０の両側面７０ｂ、７０ｃを挟持する一対のガイド片９０ｆ，９０ｆと、を備えているので、レール部７０の取付けについては、図１３に示すように、レール部７０を突合せ止水ブロック９０の一対のガイド片９０ｆ，９０ｆを頼りに、レール部７０の小口を突合せ止水ブロック９０の弾性片９０ｅに当接させながら嵌合させればよい。レール部７０の取外しの際は、レール部７０を指先で摘み、弾性片９０ｅの弾性力を利用しながら容易に取外すことが可能である。
【００４７】
なお、ガイド片９０ｆ，９０ｆはレール部７０の取付けの際のガイド機能のみならず、レール部７０が取付けられた状態でもレール部７０の両側面７０ｂ、７０ｃを挟持する構成となっていることから、レール部７０の傾き（回動）、がたつき、揺れ等を防止すると共に、突合せ止水ブロック９０とレール部７０との隙間から雨水の侵入を防止することが可能である。また、レール部７０と突合せ止水ブロック９０との間を弾性片９０ｅが介在するかたちとなっているため、この弾性片９０ｅの存在により、アルミニウム合金などの金属等からなるレール部７０の熱伸縮や寸法誤差等を吸収することができ、それに伴うレール部７０の歪みやズレ等を防止することができる。
【００４８】
次に、突合せ框底部ブロック８０について、図８乃至１０、図１４、図１５及び図１７に基づいて説明する。なお、図１４は突合せ框底部ブロックと突合せ止水ブロックとの配設関係を説明するための斜視図であり、図１５は左右の突合せ框底部ブロックが相互に当接した状態での突合せ止水ブロックとの配設関係を説明するための斜視図であり、図１７−１〜６は突合せ框底部ブロックの正面図、平面図、背面図、側面図、底面図、Ｆ―Ｆ断面図である。
【００４９】
突合せ框底部ブロック８０は、突合せ框５ｃＬ，５ｃＲの底部５４と嵌合する嵌合部８０ａと、この嵌合部８０ａの下部に取付けられ、突合せ框５ｃＬ，５ｃＲの底部５４の底面を形成する底面部８０ｂと、この底面部８０ｂから延在するとともに、突合せタイト材５６の下端に当接する室内側底面部８０ｃと、同じく底面部８０ｂから延在するとともに、室外側張り出し片５５の下端に当接する室外側底面部８０ｄと、底面部８０ｂに取付けられた、ヒレ部８１ａを有するヒレユニット８１と、下框５ｂＬ，５ｂＲの室内側垂下片５２及び室外側垂下片５３と実質的に延在したブロック室内側垂下片８０ｅ及びブロック室外側垂下片８０ｆと、を備えている。突合せ框底部ブロック８０は、嵌合部８０ａにより突合せ框５ｃＬ，５ｃＲと嵌合するとともに、ビス孔８０ｇによりビス３４で固定されている。また、図１０に示すように、ブロック室内側垂下片８０ｅ及びブロック室外側垂下片８０ｆが下框５ｂＬ，５ｂＲの室内側垂下片５２及び室外側垂下片５３と実質的に延在したかたちとなっているので、突合せ障子５Ｌ，５Ｒの室外側垂下片５３，５３と共同して、実質的に雨水の水切りが行われると共に、室内側垂下片５２，５２と共同して、下枠１における第１のタイトラインが形成されている。さらに、突合せ框底部ブロック８０の底面部８０ｂに取付けられた、ヒレ部８１ａを有するヒレユニット８１により、図９に示すように、このヒレ部８１ａがレール部上面７０ａと摺接し、突合せ框底部５４とレール部上面７０ａとの間を水密にし、レール部上面７０ａからの雨水の侵入を防止している。なお、ブロック室内側垂下片８０ｅ及びブロック室外側垂下片８０ｆは、必ずしも設ける必要がなく、その場合は下框５ｂＬ，５ｂＲの室内側垂下片５２及び室外側垂下片５３を延在させればよい。
【００５０】
図８に示すように、室内側底面部８０ｃが突合せタイト材５６の下端に当接すると共に、室外側底面部８０ｄが室外側張り出し片５５の下端に当接して雨水の侵入を防止し、かつ、図１５に示すように突合せ框５ｃＬ，５ｃＲの底部５４、５４に取付けられたそれぞれの室内側底面部８０ｃ、８０ｃ及び室外側底面部８０ｄ、８０ｄの端縁同士が当接することにより、突合せ止水ブロック９０の凹部９０ｂの周囲をほぼ覆う状態となり、等圧空間Ｓ内の下方に落下若しくは滴り落ちた雨水を凹部９０ｂへ集水しやすくしている。凹部９０ｂに集水された雨水は、図９に示すように、この凹部９０ｂを切り欠いた切欠き部９０ｄと室外側底面部８０ｄ及びブロック室外側垂下片８０ｆによって囲まれた空間から排出され、室外側ガイド溝１８へ排水される。なお、凹部９０ｂに集水されずに、底面部８０ｂ上に流れ落ちた水は、前述したヒレ部８１ａを有するヒレユニット８１の存在により、レール部上面７０ａから室内側への雨水の侵入が防止される。
【００５１】
＜水切りライン及びタイトライン構造＞
図１に示すように、室内側垂下片５２及びブロック室内側垂下片８０ｅにより、第１のタイトラインが突合せ障子５Ｌ，５Ｒの室内側に形成されている。図４に示すように、嵌め殺し部６Ｌ，６Ｒの縦骨６ｄＬ，６ｃＲの室外面には、それぞれ縦タイト材３５，３５が取付けられており、この縦タイト材３５，３５と突合せ障子の召し合せ框の室内面とが摺接することにより、第２のタイトラインが形成されている。そして、等圧空間Ｓの室内側は、それぞれの突合せタイト材５６Ｌ，５６Ｒ相互の当接により第３のタイトラインが形成されている。これら、第１乃至３タイトラインが略同一面上に形成されていることより水密性を高めている。
【００５２】
また、図１及び図４に示すように、室外側垂下片５３及びブロック室外側垂下片８０ｆにより、水切りラインが突合せ障子５Ｌ，５Ｒの室外側に形成されているが、上記タイトラインとこの水切りラインとを別々に設ける二重構造により、タイトラインの負担を軽減させ、水密性を高めている。
【図面の簡単な説明】
【００５３】
【図１】本発明の一実施例の四枚建て引分けサッシの縦断面図である。
【図２】下枠のガラス押さえ部に巾木（下框）を形成するアタッチメントを装着した状態を説明するための図である。
【図３】その突合せ障子を開いた状態の横断面図である。
【図４】その突合せ障子を閉じた状態の横断面図である。
【図５】本発明の他の実施例の四枚建て引分けサッシの縦断面図である。
【図６】その突合せ障子を開いた状態の横断面図である。
【図７】その突合せ障子を閉じた状態の横断面図である。
【図８】対向するそれぞれの突合せ障子の突合せ框を突き合わせた状態を示す拡大平面図である。
【図９】そのＡ−Ａ断面図である。
【図１０】突合せ框と突合せ框底部ブロック及び突合せ止水ブロックとの配設関係を説明するための斜視図である。
【図１１】レール部と突合せ止水ブロックの拡大平面図である。
【図１２】その拡大側面図である。
【図１３】レール部と突合せ止水ブロックとの嵌脱状態を説明するための斜視図である。
【図１４】突合せ框底部ブロックと突合せ止水ブロックとの配設関係を説明するための斜視図である。
【図１５】左右の突合せ框底部ブロックが相互に当接した状態での突合せ止水ブロックとの配設関係を説明するための斜視図である。
【図１６−１】突合せ止水ブロックの平面図である。
【図１６−２】その側面図である。
【図１６−３】その正面図である。
【図１６−４】その底面図である。
【図１６−５】そのＢ−Ｂ断面図である。
【図１６−６】そのＣ−Ｃ断面図である。
【図１６−７】そのＤ−Ｄ断面図である。
【図１６−８】そのＥ−Ｅ断面図である。
【図１７−１】突合せ框底部ブロックの正面図である。
【図１７−２】その平面図である。
【図１７−３】その背面図である。
【図１７−４】その側面図である。
【図１７−５】その底面図である。
【図１７−６】そのＦ−Ｆ断面図である。
【図１８−１】レール部小口面を塞ぐ塞ぎ材の正面図である。
【図１８−２】その背面図である。
【図１８−３】その側面図である。
【図１８−４】塞ぎ材と室内側レール部立ち上がり片及び室外側レール部立ち上がり片との固定状態を説明するための図である。
【図１９−１】レール部に取付けられる固定部材の正面図である。
【図１９−２】その側面図である。
【図１９−３】固定部材と室内側レール部立ち上がり片及び室外側レール部立ち上がり片との固定状態を説明するための図である。
【図２０】本発明に係る下枠の拡大断面図である。
【符号の説明】
【００５４】
１…下枠、２…上枠、３…左縦枠、３ａ…ガラス押さえ部、４…右縦枠、４ａ…ガラス押さえ部、５Ｌ，５Ｒ…突合せ障子、５ａＬ，５ａＲ…上框、５ｂＬ，５ｂＲ…下框、５ｃＬ，５ｃＲ…突合せ框、５ｄＬ，５ｄＲ…戸当り框、６Ｌ，６Ｒ…嵌め殺し部、６ａＬ，６ａＲ…上枠アタッチメント、６ｄＬ，６ｃＲ…縦骨、７Ｌ，７Ｒ…網戸、８…グレーチング、９…グレーチング受材、１０…中空部、１１…第１の立ち上がり片、１２…第２の立ち上がり片、１３…第３の立ち上がり片、１４…室内側レール部立ち上がり片、１５…室外側レール部立ち上がり片、１４ａ，１５ａ…肩部、１６…目板材、１７…室内側ガイド溝、１８…室外側ガイド溝、１９…下部溝、３０…ガラス、３１…下枠アタッチメント、３２…蓋付き排水口、３３…横タイト材、３４…ビス、３５…縦タイト材、５０…下框底部、５１…戸車、５２…室内側垂下片、５３…室外側垂下片、５４…突合せ框底部、５５Ｌ，５５Ｒ…室外側張り出し片、５６Ｌ，５６Ｒ…突合せタイト材、５７Ｌ，５７Ｒ…対向面、５８…室内側張り出し片、６１ａＬ，６１ａＲ…上枠アタッチメント本体、６２ａＬ，６２ａＲ…押縁、７０…レール部、７０ａ…レール部上面、７０ｂ…レール部室内側側面、７０ｃ…レール部室外側側面、７０ｄ…レール部下面、７１…塞ぎ材、７１ａ…塞ぎ本体部、７１ｂ…挿入部、７１ｃ…固定片、７２…固定部材、７２ａ…固定片、７３…第２の塞ぎ材、７４…戸当りストッパー、８０…突合せ框底部ブロック、８０ａ…嵌合部、８０ｂ…底面部、８０ｃ…室内側底面部、８０ｄ…室外側底面部、８０ｅ…ブロック室内側垂下片、８０ｆ…ブロック室外側垂下片、８０ｇ…ビス孔、８１…ヒレユニット、８１ａ…ヒレ部、９０…突合せ止水ブロック、９０ａ…上面、９０ｂ…凹部、９０ｃ…ビス孔、９０ｄ…切欠き部、９０ｅ…弾性片、９０ｆ…ガイド片、９０ｇ…嵌合部、１５０Ｌ，１５０Ｒ…突合せ障子、１５０ａＬ，１５０ａＲ…上框、１５０ｂＬ，１５０ｂＲ…下框、１５０ｃＬ，１５０ｃＲ…突合せ框、１５０ｄＬ，１５０ｄＲ…戸当り框、１６０Ｌ，１６０Ｒ…突合せ障子、１６０ａＬ，１６０ａＲ…上枠アタッチメント、１６０ｂＬ，１６０ｂＲ…下枠アタッチメント、１６０ｄＬ，１６０ｃＲ…縦骨、１６０ｃＬ，１６０ｄＲ…（左若しくは右）縦枠アタッチメント、１６１ａＬ，１６１ａＲ…上枠アタッチメント本体、１６２ａＬ，１６２ａＲ…押縁、３００…ペアガラス。
【図１】
2005171647.tif 000003
【図２】
2005171647.tif 000004
【図３】
2005171647.tif 000005
【図４】
2005171647.tif 000006
【図５】
2005171647.tif 000007
【図６】
2005171647.tif 000008
【図７】
2005171647.tif 000009
【図８】
2005171647.tif 000010
【図９】
2005171647.tif 000011
【図１０】
2005171647.tif 000012
【図１１】
2005171647.tif 000013
【図１２】
2005171647.tif 000014
【図１３】
2005171647.tif 000015
【図１４】
2005171647.tif 000016
【図１５】
2005171647.tif 000017
【図１６−１】
2005171647.tif 000018
【図１６−２】
2005171647.tif 000019
【図１６−３】
2005171647.tif 000020
【図１６−４】
2005171647.tif 000021
【図１６−５】
2005171647.tif 000022
【図１６−６】
2005171647.tif 000023
【図１６−７】
2005171647.tif 000024
【図１６−８】
2005171647.tif 000025
【図１７−１】
2005171647.tif 000026
【図１７−２】
2005171647.tif 000027
【図１７−３】
2005171647.tif 000028
【図１７−４】
2005171647.tif 000029
【図１７−５】
2005171647.tif 000030
【図１７−６】
2005171647.tif 000031
【図１８−１】
2005171647.tif 000032
【図１８−２】
2005171647.tif 000033
【図１８−３】
2005171647.tif 000034
【図１８−４】
2005171647.tif 000035
【図１９−１】
2005171647.tif 000036
【図１９−２】
2005171647.tif 000037
【図１９−３】
2005171647.tif 000038
【図２０】
2005171647.tif 000039